(57)【要約】【課題】  取扱いが容易であり、改善された動作上の安全性が保証されるような個人化された空気浄化装置を開発すること。【解決手段】  ハウジング（２）を有する個人化された空気浄化装置であって、ハウジングは、ハウジング（２）内に空気を吸い込むための少なくとも１つの空気取入れ領域（３）と、ハウジング（２）外に空気を吹き出すための少なくとも１つの空気吹出し領域（４）とを有し、浄化された吹出し空気流（３２）がユーザの身体に、特に顔に当てられ、空気浄化装置（１）のハウジング（２）は、略ディスク形状の円形又は楕円形又は多角形の設計であり、空気取入れ領域（３）と空気吹出し領域（４）とが、ハウジング（２）の円周上の同一面（３９）に配置される。【選択図】図１
2019051316.tif 000002
【特許請求の範囲】
【請求項１】
ハウジング（２）を有する個人化された空気浄化装置（１）であって、前記ハウジングは、該ハウジング（２）内に空気を吸い込むための少なくとも１つの空気取入れ領域（３）と、前記ハウジング（２）外に空気を吹き出すための少なくとも１つの空気吹出し領域（４）とを有し、浄化された吹出し空気流（３２）がユーザの身体に、特に顔に当てられ、前記ハウジング（２）は、固定具（２６，３５，３６，６０）で中心軸線（５０）の周りに回転可能且つロック可能に保持され、
前記空気浄化装置（１，１ａ）の前記ハウジング（２，２ａ，２ｂ，２ｃ）は、円形、楕円形、又は多角形のディスクの形態の略ディスク形状であり、前記空気取入れ領域（３）及び前記空気吹出し領域（４）は、前記ハウジング（２）の円周上の同じ半径方向面（３９）に配置される、
個人化された空気浄化装置（１）。
【請求項２】
ファン回転軸線（５）から見て、前記空気取入れ領域（３）及び／又は前記空気吹出し領域（４）は、前記ハウジング（２）の半径方向外縁部（１７）に配置される、請求項１に記載の個人化された空気浄化装置（１）。
【請求項３】
前記空気取入れ領域（３）及び前記空気吹出し領域（４）は、前記ハウジング（２，２ａ，２ｂ，２ｃ）の外周上で中央領域に配置された円周環状溝（４０）の領域に配置される、請求項１又は２に記載の個人化された空気浄化装置（１）。
【請求項４】
ファン回転軸線（５）から見て、前記空気取入れ領域（３）及び前記空気吹出し領域（４）は、それぞれ、前記ハウジング（２，２ａ−ｃ）の半径方向外縁部（１７）の互いに異なる領域に配置される、請求項１乃至３のいずれか一項に記載の個人化された空気浄化装置（１）。
【請求項５】
前記ハウジング（２，２ａ−ｃ）は、前記空気取入れ領域（３）及び／又は前記空気吹出し領域（４）内に一連のブレード（１８，１９）を有し、空気を、前記空気取入れ領域（３）内のブレード（１８）同士の間でハウジング（２）内に吸い込むことができ、空気を、前記空気吹出し領域（４）のブレード（１９）同士の間でハウジング（２）から吹き出すことができる、請求項１乃至４のいずれか一項に記載の個人化された空気浄化装置（１）。
【請求項６】
前記ハウジング（２，２ａ−ｃ）内において、前記空気浄化装置（１）の少なくとも１つのファンホイール（６）がファン回転軸線（５）の周りに回転可能であり、前記空気浄化装置（１）の少なくとも１つの空気取入れフィルタ（７）が、前記空気取入れ領域（３）によって吸い込まれた空気を濾過するように配置され、それにより動作時に、前記ファンホイール（６）が、該ファンホイール（６）内に前記ファン回転軸線（５）に対して平行な少なくとも１つの方向（８）に空気を吸い込み、前記ファンホイール（６）から前記ファン回転軸線（５）に対して半径方向の少なくとも１つの方向（９）に空気を吹き出す、請求項１乃至５のいずれか一項に記載の個人化された空気浄化装置（１）。
【請求項７】
前記ファンホイール（６）は、前記空気取入れフィルタ（７）によって部分的に囲まれた内部空間（１０）に配置される、請求項６に記載の個人化された空気浄化装置（１）。
【請求項８】
平面視においてファン回転軸線（５）に対して平行な方向（８）から見て、Ｃ字形状の前記空気取入れフィルタ（７，７ａ−ｃ）は、ファンホイール（６）が配置される内部空間（１０）のみを部分的に囲む、請求項５乃至７のいずれか一項に記載の個人化された空気浄化装置（１）。
【請求項９】
平面視においてファン回転軸線（５）に対して平行な方向（８）から見て、前記空気取入れフィルタ（７，７ａ−ｃ）のない残りの部分において、ファンホイール（６）は、作動中にその途中で前記ハウジング（２）の前記空気吹出し領域（４）に空気を吹き込む吹出し空間（１１）が配置される、請求項５乃至８のいずれか一項に記載の個人化された空気浄化装置（１）。
【請求項１０】
Ｃ字形状の前記空気取入れフィルタ（７）は、いくつかの分割した形状のフィルタ部品（７ａ，７ｂ，７ｃ）から構成される、請求項５乃至９のいずれか一項に記載の個人化された空気浄化装置（１）。
【請求項１１】
ファンホイール（６）によって吸い込まれた空気の空気流（２４）が、前記空気取入れ領域（３）を通って前記ハウジング（２，２ａ−ｃ）内に、ファン回転軸線（５）に対して半径方向（９）の空気取入れフィルタ（７，７ａ−ｃ）内に通過し、障壁（１４）の周りで前記ファン回転軸線（５）に対して平行な方向（８）に前記ファンホイール（６）内に少なくとも通過する、請求項５乃至１０のいずれか一項に記載の個人化された空気浄化装置（１）。
【請求項１２】
障壁（１４）は、ファンホイール（６）の受容空間（１６）を部分的に囲み、前記ファンホイール（６）は、前記受容空間（１６）に偏心して配置される、請求項５乃至１１のいずれか一項に記載の個人化された空気浄化装置（１）。
【請求項１３】
前記ハウジング（２，２ａ−ｃ）は、ファン回転軸線（５）に対して平行な方向（８）から見て、円形又は楕円形又は多角形の外郭を有する、請求項１乃至１２のいずれか一項に記載の個人化された空気浄化装置（１）。
【請求項１４】
前記ハウジング（２，２ａ，２ｂ，２ｃ）は、随意に、卓上ユニット、壁ユニット又は床ユニットとして設計される、請求項１乃至１３のいずれか一項に記載の個人化された空気浄化装置（１）。
【請求項１５】
前記空気浄化装置（１）は、室内空気浄化機（１ａ）及び／又は卓上装置として設計されており、ファン（６，２１，２３）の配置は、１つ又は複数の周囲フィルタ（７）内で全体的に又は部分的に行われ、前記空気取入れ領域（３）及び前記空気吹出し領域（４）は、同一の周面上に配置される、請求項１乃至１４のいずれか一項に記載の個人化された空気浄化装置（１）。
【請求項１６】
前記空気浄化装置は、加熱素子及び／又は冷却素子及び／又は空気加湿要素をさらに含む、請求項１乃至１５のいずれか一項に記載の個人化された空気浄化装置（１）。
【発明の詳細な説明】
【技術分野】
【０００１】
本発明は、特許請求の範囲の請求項１の前提部（generic term）に記載の個人化された（personalized）空気浄化装置に関する。
【背景技術】
【０００２】
オープンプラン（open-plan）のオフィスや他の部屋の１か所で多くの時間を過ごす特に敏感な人は、浄化された及び／又は香り付けされた或いは空調された空気を呼吸する必要性がますます高まっている。
【０００３】
従って、室内の空気をさらに浄化及び／又は香り付け又は空気調節し、各ユーザに個人化された（個人用の）空気供給を供給する必要がある。これはまた、空調システムがアレルギーから完全に解放されず（花や草の花粉がない状態にできず）、供給される室内空気の無臭性を完全に実現できないためである。さらに、これは、室内空気浄化機が、利用可能であれば、常時活性状態の空気汚染源のため室内の全ての空気を完全に浄化することができないためである。
【０００４】
特許文献１及び特許文献２の目的によれば、個別化された方法で、浄化された又は別の方法で準備された室内空気をユーザに供給する試みがあった。これらの文献に記載された構成の欠点は、空気供給が、調髪用フードのように行われることである。すなわち、ユーザは、ユーザの頭部に向けられる空気ジェットを生成する空気スクープ（scoop）の下にいなければならない。
【０００５】
特許文献３から、このユーザに適合された浄化された空気流をユーザに供給するために、ユーザの頭部を、中央ボックス形状の装置に入れることも既知である。
【０００６】
上述した刊行物の欠点として、自分の空気供給装置を配置する必要性があり、ユーザの移動の自由度が制限される可能性があり、更なる欠点は、浄化された空気が、地面に設置された装置によって生成され、比較的長いホースによって空気供給スクープに接続されるため、取り回しが困難なことである。
【０００７】
この周知の技術の更なる欠点は、汚れ粒子及び細菌が装置自体及び長い空気供給ホース内に沈降し、供給空気中に細菌をもたらすことである。
【０００８】
特許文献４の目的によれば、箱形状のハウジングを含む個人化された空気浄化装置が既知であり、この個人化された空気浄化装置は、ハウジング内に空気を吸い込むための少なくとも１つの空気取入れ領域と、ハウジング外に空気を吹き出すための少なくとも１つのスロット形状の空気吹出し領域とを有する。軸流ファンがハウジングの内部に配置される。浄化された吹出し空気流は、ユーザの身体に向けられ、空気取入れ領域は空気吹出し領域に対して正反対に対向している。周知の装置は、ストラップを用いて補給車（pram）に取り付けられるボックスであり、調整可能な指向性の空気流を生成しない。特に、空気浄化装置は、中心軸線の周りに回転することができない。
【０００９】
同様の欠点は、特許文献５にも当てはまる。この文献は、内側に配置された軸流ファンを有する箱形状のハウジングを示しており、それによって空気取入れ領域は空気吹出し領域に対して正反対に対向する。ハウジングの中心軸線の周りの回転は不可能である。
【００１０】
特許文献６は、２つの別個の吹出し領域を規定する２つの間隔を置いて配置されたラジアルファンを有する箱形状のハウジングを有する。ハウジングは、空気流の方向を調整するために、中心軸線の周りに回転するようには意図されていない。
【００１１】
特許文献７は、遠心ファンを有する箱形状のハウジングが特徴であり、空気取入れ領域が空気吹出し領域と正反対に対向している。ハウジングは、水平軸線の周りに回転できるようにスタンドに取り付けられる。これにより、吹出し空気流の方向をある程度の範囲内に調整することが可能となるが、空気取入れ領域及び空気吹出し領域が同一面上にないため、ユニットを水平方向に使用することができず、そのようなユニットの適用範囲を制限するという欠点がある。さらに、取入口及び吹出口フィルタのフィルタを交換することは、この目的のためにハウジングを前及び後に開く必要があるため、より困難となる。
【先行技術文献】
【特許文献】
【００１２】
【特許文献１】米国特許第９，３７５，５４７号
【特許文献２】米国特許第９，１４４，６９７号
【特許文献３】米国特許第８，４１４，６７１号
【特許文献４】米国特許出願公開第２００７／００１８４１５号明細書
【特許文献５】米国特許出願公開第２０１１／００３０５６０号明細書
【特許文献６】国際公開第２０１２／０２３６５５号
【特許文献７】ドイツ連邦共和国実用新案出願公開第２０２００９００１１９０号明細書
【発明の概要】
【発明が解決しようとする課題】
【００１３】
従って、本発明は、冒頭に述べたタイプの個人化された空気浄化装置について、この装置の取扱いが容易であり、改善された動作上の安全性が保証されるようにさらに開発するタスクに基づいている。
【課題を解決するための手段】
【００１４】
この問題を解決するために、本発明は、請求項１の技術的教示によって特徴付けられる。
【００１５】
個人化された空気浄化及び空調の必要性に加えて、本発明は、室内の空気浄化及び空調の適用についても記載する。
【００１６】
「空調」という用語は、加熱及び／又は冷却素子も装置内に配置することができることを意味する。このような加熱素子は、例えば、電気加熱式加熱スパイラルであり、冷却素子は、電気ペルチェ冷却素子として設計されることが好ましい。水蒸発原理に基づく冷却素子を更なる開発において使用してもよく、この更なる開発では、水浴によって加湿されたエアフィルタにファンの空気流によって空気が供給され、それによって生成された蒸発冷却により吹出し空気流の温度が低下される。室内空気の加湿も同じ原理で行うことができる。
【００１７】
人が作業台やベッド等の規定された場所で長時間を過ごし、空気中に大気汚染物質がない場所であれば、個人化された空気浄化装置が有利となる。
【００１８】
室内の空気を全て浄化しようとし、大抵の場合（空気浄化機は常時空気汚染源と接触し続ける室内の空気を十分に浄化しないため）室内の空気の少しの改善のみに寄与する室内空気浄化機と比較して、個人化された空気浄化機は、ユーザに隣接する呼吸ゾーンを浄化するのに必要な空気だけを浄化するので、より効果的で、よりエネルギー効率が高く、静かにすることができる。
【００１９】
装置を、ユーザの呼吸ゾーンの出口に非常に近接させて、最適な角度で位置付けすることができるので、個人化された空気浄化機からの清浄空気は、室内の汚染源の汚染物質と混合しない、又は最小限しか混合しない。ユーザは、非常に極めてきれいな空気を呼吸することができる。
【００２０】
従って、本発明の特徴的な機構は、個人化された空気浄化装置が、卓上装置として設計された場合に、スポーツ競技に使用される（スポーツの投擲装置として既知の）円盤ディスク（discus disc）と同様の寸法及び形状のハウジングを有する。
【００２１】
有利な設計では、空気浄化装置のハウジングは、円形又は楕円形又は多角形ディスクの形態の略ディスク形状であり、空気取入れ領域及び空気吹出し領域は、ハウジングの円周上で同じ半径方向面に配置される。
【００２２】
これは、ディスク形状ハウジングを取付け面上に配置して、このディスク形状ハウジングを中心軸線の周りに回転させることができるという利点がある。空気取入れ領域及び空気吹出し領域がハウジングの円周上で同じ半径方向面に配置されるという特徴により、空気取入れフィルタ又は空気吹出しフィルタをユーザの手の届く範囲に持っていくために、ハウジングをその中心軸線の周りに回転するだけでよいので、フィルタ交換を簡単に行えるという利点がある。これにより、取扱いが大幅に簡素化される。加えて、空気浄化機は、そのディスク形状のために水平方向に操作することもできるという利点がある。これは、空気取入れ領域及び空気吹出し領域がハウジングの円周上で同じ半径方向面に配置され、こうしてこの２つの領域が塞がれるのを防止するので、平らな面で水平方向に動作することもできることを意味する。
【００２３】
この形式の特徴的な機構は、比較的小さく、回転対称のハウジング内で空調及び空気の吹出しが行われることであり、そのため、初めてこのような空気浄化装置を、テーブルユニットとして設計し、軽量スタンドを用いてテーブルに配置することを可能にした。
【００２４】
本発明の更なる特徴は、回転対称設計であることが好ましいディスク形状ハウジングの形態の個人化された空気浄化装置が、この装置を、テーブルスタンド上で、ユーザの身体の目標照射を可能にするために、水平回転軸線の周りを回転させることができる可能性を提供することである。
【００２５】
こうして、本発明の更なる特徴の後に、空気取入れ領域及び空気吹出し領域は、ハウジングの外周において同じ半径方向面内にあり、これは、非常に小さい全幅（ディスクの高さ）を達成できるという利点に結び付けられるため、空気ダクトを極端に短くした取り扱いが容易な装置が記載される。
【００２６】
略ディスク形状のハウジング本体の中央横断領域は、ユニットの中心から外周方向に半径方向外向きに延びる半径方向面に及ぶ。この半径方向面では、空気取入れ領域と空気吹出し領域との両方が、軸線方向のずれなく互いに整列され、全体の幅が狭くなる。
【００２７】
こうして、ハウジングの外周上の第１の周囲領域に空気吹出しノズルを配置することが可能となり、それによって、浄化された、場合によっては香り付けされた吹出し空気が、特にユーザの身体に、好ましくは顔の呼吸領域に向けることができ、ハウジングの外周上の第２の周囲領域に空気取入れ領域を配置することができる。両方の領域は、ハウジングの外周上の同じ環状溝内に配置される。
【００２８】
好ましくは、乱流のない層流の気流及び調整可能な気流の強さが与えられ、ユーザが顔（及び気道）に直接的に向けられた気流を気にならないようにする。
【００２９】
空気流自体は目立たないが、ユーザが顔面に向けられた気流を全く感知することができるように、本発明の更なる訓練において取られる予防措置さえもある。
【００３０】
この目的のために、光学的に知覚可能な照明素子が吹出しノズルの上又は中に設けられ、吹出し空気流が実際に発生したときのみ点灯することが意図される。
【００３１】
本発明は、卓上装置としてのハウジングの設計に限定されるものではない。別の構成では、装置を、同じ又はより大きな直径を有する変形例の壁取付け装置として使用することができる。この装置は、壁取付け部に掛けられ、この壁のスタンド上で水平方向軸線の周りを回転することもできる。
【００３２】
同様に、本発明は、本発明によるディスク形状の空気浄化装置が、座席ホルダーによって自動車の前部座席の背もたれにも取り付けられ、また、そこで旋回又は回転することができるように提供される。
【００３３】
全ての設計に共通していることは、空気浄化装置のハウジングから自由に放出される吹出し空気流を個別にユーザに向けることができ、この吹出し空気流を少なくとも１つ又は複数のフィルタで浄化し、吹出し空気流が追加の特性も有することができることである。
【００３４】
上に示したように、吹出し空気流を香り付けするための追加の装置を設けることができる。また、ユニットの内部にイオン化装置を配置してイオン化空気の放出を可能にすることもできる。
【００３５】
従って、本発明は、ハウジングを含み、ハウジング内に空気を吸い込むための少なくとも１つの空気取入れ領域と、ハウジング外に空気を吹き出すための少なくとも１つの空気吹出し領域とを有する個人化された空気浄化装置であって、空気浄化装置のファン回転軸線の周りに回転可能な少なくとも１つのファンホイールと、空気浄化装置のファン回転軸線の周りに回転可能な少なくとも１つのファンホイールとが、空気取入れ領域によって吸い込まれた空気を濾過するように配置され、それによりファンホイールは、空気浄化装置の作動中に、ファンホイール内にファン回転軸線に対して平行な少なくとも１つの方向に空気を吸い込み、ファン回転軸線に対して半径方向の少なくとも１つの方向にファンホイールから離れる方向に空気を吐き出す。
【００３６】
前述した特徴により、ファンホイールが空気取入れフィルタによって部分的に囲まれた内部に配置され、空気取入れ領域及び空気吹出し領域がハウジングの外周上で同じ半径方向面上に配置される場合に、非常に低い全体の高さ（＝ディスクの厚さ）が得られる。
【００３７】
ファン回転軸線から見て、空気取入れ領域及び空気吹出し領域がハウジングの半径方向の外縁に配置される場合に特に有利である。これにより、空気取入れ領域及び空気吹出し領域を、外周上のハウジングの中央領域に配置された周囲環状溝の領域に配置することができ、全体の高さ（＝ディスク厚さ）をさらに低減することができる。
【００３８】
空気取入れフィルタによって部分的に取り囲まれ、従って空気取入れフィルタ内に部分的に囲まれた内部の本発明によるファンホイールの配置は、空気浄化装置の非常にコンパクトな構成を可能にする。これにより、持ち運び可能で汎用性の高い空気浄化装置を形成することが非常に容易になる。これにより、これまで不可能であった卓上ユニット、或いは床、壁、又は天井ユニット等の空気浄化装置を設計することが可能となる。
【００３９】
ファンホイールは、空気浄化装置の構成要素であり、ファンホイールを用いて、空気取入れ領域を通して空気を吸い込み、ハウジングを通して空気を輸送し、空気吹出し領域を通ってハウジングの外部に空気を吹き出すための空気移動が生成される。これは、空気浄化装置の作動中に１つの回転方向にファン回転軸線の周りを回転するホイールである。ファンホイールは、好ましい構成では複数の空気翼（air vanes）を有し、空気翼は、ファン回転軸線から離れた配置されるか、又は少なくともこの方向に延びる。
【００４０】
これらの空気翼は、ファンホイールのベースに配置され、回転軸線に対して平行な方向に、好ましくは直交する方向にこのベースから突出する。ベースは、好ましい構成ではファン回転軸線に直交して配置される。
【００４１】
ファン回転軸線から見て、半径方向に対して角度を付けた空気翼が好ましい。好ましい設計では、ファン又は羽根車（impeller）は、後方湾曲又は前方湾曲のラジアルファンとして設計される。
【００４２】
いずれにしても、本発明に従った空気浄化装置のファンホイールは、空気浄化装置の作動中に、ファンホイールが、ファンホイール内にファン回転軸線に対して平行な少なくとも１つの方向に空気を吸い込み、ファン回転軸線に対して半径方向の少なくとも１つの方向にファンホイールから空気を吐き出すことを提供する。
【００４３】
本発明の空気浄化装置は、車内を含む室内の空気を浄化する室内空気浄化機として使用することができる。しかしながら、本発明の空気浄化装置の好ましい設計は、浄化した空気を特定の方向又は方位に吹き出すことを提供する。このような本発明の空気浄化装置は、例えば人の呼吸ゾーンに浄化した空気を吹き込むために使用することができる、いわゆる呼吸ゾーン空気浄化機としても使用することができる。このようにして、空気浄化機は、特定の人物に割り当てられ、したがって個人化される。
【００４４】
本発明の好ましい形態によれば、上方からファン回転軸線に対して平行な方向から見て、ファンホイールが配置される内部のみが空気取入れフィルタによって部分的に囲まれている。
【００４５】
上方からファン回転軸線に対して平行な方向から見て、空気取入れフィルタのない残りのセクションに吹出空間が配置され、ファンホイールは作動中にその途中でハウジングの空気吹出し領域に空気を吹き込むことが特に好ましい。
【００４６】
これにより、特にコンパクトな空気浄化装置を構築することが可能になる。空気吹出しフィルタを、本発明による空気浄化装置の吹出しチャンバ内に配置することができる。しかしながら、本発明による空気浄化装置の変形例も考えられ、そこでは、吹出し空間内の空気吹出しフィルタが省略される。
【００４７】
簡単に言えば、本発明の好ましい形態の設計は、吹出し領域と空気取入れ領域とが同じレベル（level）に配置されることを与える。これにより、前例のない全体的な高さを減少させるという利点が得られる。
【００４８】
本発明の好ましい変形例では、ハウジングの空気取入れ領域は、互いに平行な２つの仮想境界面と、ファンホイールが作動中にその途中での空気をハウジングの空気吹出し領域に吹出す１つ又は複数の吹出し空間とによって境界が定められ、及び／又はハウジングの空気吹出し領域は、少なくとも部分的に、好ましくは完全に、平行な境界面同士の間に配置される。境界面は、好ましくは、ファン回転軸線に対して直交又は垂直である。
【００４９】
特に、空気吹出口空間を解放するために、本発明の好ましい変形例では、空気取入れフィルタは、ファンホイールが少なくとも部分的に配置される内部を完全に取り囲まない。この意味において、本発明の好ましい変形例では、空気取入れフィルタがＣ字形状である。用語「Ｃ字形状の設計」は、広く理解すべきである。Ｃ字形状は曲げたり、角度を付けたり等することができる。これらは、最終的には、上述した内部を取り囲むが、完全に円周方向には閉じていない空気取入れフィルタの形態である。
【００５０】
本発明の好ましい変形例では、空気取入れフィルタとファンホイールとの間に障壁が配置され、障壁によって、空気取入れフィルタを介して吸い込まれた空気をファンホイールに向けて迂回させる。障壁は、有利には空気取入れフィルタを取り囲む内部にも配置される。
【００５１】
障壁によって、ファンホイールによって空気取入れ領域を介してハウジング内に吸い込まれた空気の空気流を、空気取入れフィルタ内にファン回転軸線に対して半径方向に流入させ、次に障壁の周りで少なくともファン回転軸線に対して平行な方向にファンホイールに向けて流入させる。障壁は、有利には、ファンホイールからの空気を吹出し口又は吹出し空間に吹き出すための開口部を有する。空気は、ファンホイールによってファン回転軸線に対して半径方向の少なくとも１つの方向に吹出しチャンバ内に吹き込まれる。
【００５２】
障壁は、ファンホイールの取付け空間を部分的に取り囲むことができる。ファンホイールは、好ましくは、受容空間内に偏心して配置される。これは、ある領域では、ファンホイールが受容チャンバの他の領域よりも障壁により近く配置されることを意味する。ファンホイール受容空間は、有利には、空気取入れフィルタによって少なくとも部分的に囲まれた内部に障壁と共に少なくとも部分的に配置される。
【００５３】
本発明による空気浄化装置の好ましい変形例では、ハウジングは、ファンの回転軸線に対して平行な方向から見ると円形の外郭を有する。ハウジングは、ディスク形状の外郭全体を有することができる。空気取入れ領域及び／又は空気吹出し領域は、ファン回転軸線から見たときに、ハウジングの半径方向外縁部に位置することができる。回転軸線から見て、空気取入れ領域及び空気吹出し領域は、ハウジングの半径方向外縁部の異なる領域に配置されることが好ましい。一連のブレードを、空気取入れ領域と空気吹出し領域との両方に配置することができる。空気を、空気取入れ領域のブレード同士の間でハウジング内に吸い込むことができる。空気を、空気吹出し領域のブレード同士の間でハウジングから吹き出すことができる。ブレードは、ファン回転軸線から見た半径方向に関して、空気取入れ領域及び空気吹出し領域において角度を付けることができる。
【００５４】
本発明の更なる実施形態では、空気浄化装置は、大型装置として設計され、４０センチメートル（ｃｍ）から１２０ｃｍの範囲、好ましくは６０ｃｍの直径を有する。その中心軸線を含むそのような大型装置は、好ましくは、スタンド上に回転可能に取り付けられ、テーブル又は床に置かれるか、又は垂直方向又は水平方向の固定面（例えば、壁等）に回転可能に固定される。製造上の理由から、そのような大型ユニットのために単一のフィルタ部品からＣ字形状の空気取入れフィルタを製造することが、もはや好ましいことではない。従って、空気取入れフィルタが複数のフィルタ部品から構成される場合に、その各部品が、円形リングセグメントの形状を有し、組み立てられた状態で結合して前述のＣ字形状の空気取入れフィルタを形成することが好ましい。
【００５５】
フィルタ交換は、ハウジングのその中心軸線の周りの回転により、そのような大型装置で特に容易である。フィルタ交換のために、ハウジングは、交換されるフィルタがユーザの方に向くまで、その中心軸線の周りで回転され、ユーザは、フィルタをハウジングから容易に取り外すことができる。
【００５６】
ハウジングの中心軸線の周りの回転によって、ユニットの全ての設置位置における空気取入れフィルタ要素の交換が容易になる。こうして、室内空気浄化機は、壁や天井のあらゆる設置高さに取り付けることができ、ハウジングの回転可能性によって、フィルタ要素は、ユニットが天井の近くの壁に取り付けられても、常に容易にアクセスできる。
【００５７】
回転可能性によって、低い天井高さでの流れの反射を防止するように吹出し角度を平坦に保ち、室内の空気混合を最適化することも可能になる。この回転により、床の位置における又は壁やテーブル操作のための制御パネルへのアクセスも容易になる。
【００５８】
本発明の好ましい変形例の更なる特徴及び詳細を、本発明がどのように実行されるかの例を用いて以下に説明する。
【図面の簡単な説明】
【００５９】
【図１】空気浄化装置の斜視図である。
【図２】図１による回転した表示である。
【図３】アプリケーションの概略図である。
【図４】更なる詳細を含む斜視図である。
【図５】図４の線Ｘ−Ｘによる断面図である。
【図６】斜視組立図である。
【図７】別の斜視図である。
【図８】テーブルスタンドの第１の変形例の空気吹出し側の正面図である。
【図９】テーブルスタンドの第２の変形例の空気吹出し側の正面図である。
【図１０】スタンドのない図８及び図９による図である。
【図１１】側面図である。
【図１２】空気取入れ側の正面図である。
【図１３】装置の第１の断面図である。
【図１４】装置の第２の断面図である。
【図１５】装置を通る第１の縦断面図である。
【図１６】装置を通る第２の縦断面図である。
【図１７】装置を通る第３の縦断面図である。
【図１８】装置の第３の断面図である。
【図１９】使用されるフィルタの斜視図である。
【図２０】楕円形のディスク形状の空気浄化装置の変形例である。
【図２１】正方形のディスク形状の空気浄化装置の変形例である。
【図２２】多角形のディスク形状の空気浄化装置の変形例である。
【図２３】床に設置したときの大型装置としての空気浄化装置の別の変形例の側面図である。
【図２４】図２３による装置の正面図である。
【図２５】図２３及び図２４による装置の上面図である。
【図２６】図２３〜図２５による装置の斜視図である。
【図２７】フィルタ交換中に分割される空気取入れフィルタの表示を伴う図２３〜２６による装置の概略図である。
【図２８】図２７の正面図である。
【図２９】図２８の上面図である。
【図３０】図２７〜図２９による装置の斜視図である。
【図３１】空気浄化装置をフィルタ交換のための卓上ユニットとして設計した場合の図２７と同じ図である。
【図３２】空気浄化装置をフィルタ交換のための卓上ユニットとして設計した場合の図２８と同じ図である。
【図３３】空気浄化装置をフィルタ交換のための卓上ユニットとして設計した場合の図２９と同じ図である。
【図３４】空気浄化装置をフィルタ交換のための卓上ユニットとして設計した場合の図３０と同じ図である。
【図３１Ａ】空気取入れフィルタを作動位置に設置した後の空気浄化装置を卓上ユニットとして設計した場合の図２７と同じ図である。
【図３２Ａ】空気取入れフィルタを作動位置に設置した後の空気浄化装置を卓上ユニットとして設計した場合の図２８と同じ図である。
【図３３Ａ】空気取入れフィルタを作動位置に設置した後の空気浄化装置を卓上ユニットとして設計した場合の図２９と同じ図である。
【図３４Ａ】空気取入れフィルタを作動位置に設置した後の空気浄化装置を卓上ユニットとして設計した場合の図３０と同じ図である。
【図３５】取付け面、例えば壁に取り付けられた、フィルタ交換のための空気浄化装置の設計についての図２７と同じ図である。
【図３６】取付け面、例えば壁に取り付けられた、フィルタ交換のための空気浄化装置の設計についての図２８と同じ図である。
【図３７】取付け面、例えば壁に取り付けられた、フィルタ交換のための空気浄化装置の設計についての図２９と同じ図である。
【図３８】取付け面、例えば壁に取り付けられた、フィルタ交換のための空気浄化装置の設計についての図３０と同じ図である。
【図３５Ａ】空気取入れフィルタを作動位置に設置した後の図３５と同じ図である。
【図３６Ａ】空気取入れフィルタを作動位置に設置した後の図３６と同じ図である。
【図３７Ａ】空気取入れフィルタを作動位置に設置した後の図３７と同じ図である。
【図３８Ａ】空気取入れフィルタを作動位置に設置した後の図３８と同じ図である。
【図３９】水平偏向面と共に作動位置にある空気浄化装置を示す図である。
【図４０】水平偏向面と共に作動位置にある空気浄化装置を示す図である。
【発明を実施するための形態】
【００６０】
図１は、回転対称の円筒形ハウジング２の形態の本発明の空気浄化装置１の斜視側面図を示す。このハウジング２は、２つの互いに対称な半体シェル２０を有し、半体シェル２０は、中央領域においてそれら半体シェル２０の間に中央環状溝４０を形成する。環状溝４０は、好ましくは、例えば図８及び図９に確認されるように、ハウジング内で円周方向に凹んで配置される。
【００６１】
この凹んだ中央環状溝４０の領域には、図４〜図１０に従って、複数のブレード１８，１９（図１３参照）が配置され、ブレード１８は空気取入れ領域３に割り当てられ、ブレード１９は空気吹出し領域４に割り当てられる。
【００６２】
図１及び図２によれば、吹出しノズル３０は、空気吹出し領域４に取り付けられ、その前面領域に略トランペット形状と吹出しグリル３１とを有し、吹出流れ３２を介して層流を生成する（図３参照）。
【００６３】
好ましくは、吹き出される層流３２が、吹出しノズル３０の吹出しグリル３１から流出し、矢印３７の方向に向けられ、例えばユーザ４９の頭部領域３３に当てられる。
【００６４】
吹出空気流３２がユーザ４９の呼吸領域に直接的に向けられる場合に、ユーザ４９は、吹出しノズル３０から主に浄化された吹出空気を受け取るため特に好ましく、吹出空気は、毒素、異臭、植物及び草の花粉等から浄化されている。
【００６５】
図３はまた、空気浄化装置が、陸上競技で、例えば円盤投げとして使用されるような、円盤ディスクのようなディスク形状であることを示している。図１〜３の外形（proportion）も円盤の外形に対応する。
【００６６】
これにより、最初に、空気浄化装置１を図３に示されるようにスタンド２６上で矢印方向４８に回転させて、ハウジング２の回転軸線５０の周りの自由回転を達成することが可能となり、それによりこの回転軸線５０の領域において、電源接続のためのプラグ開口部３４も同時に配置され、その電源ケーブルは、装置側の接続ソケット２８内で回転可能に係合する。
【００６７】
図４及び図５は、図１〜図３の後の装置の更なる詳細を示しており、図４に示されるように回転対称のハウジング２の場合に、空気取入れ領域３は、ハウジング２の外周の周りに略Ｃ字形状で延びており、従ってＣ字形状の空気取入れフィルタ７（図７及び図１４参照）が、この大きな領域に配置され得るように適合され、それによって、大きなフィルタ表面を有する空気取入れフィルタ７によって大量の流れを濾過することができる。
【００６８】
一方、空気がファン回転軸線の軸線方向、すなわちディスク形状ハウジングのカバー面の一方の領域に吸い込まれた場合には、ユニットの全幅を大幅に拡大させることなく、この領域に大面積空気フィルタを配置することができないだろう。
【００６９】
従って、本発明の創作性を有するメリットは、空気取入れ領域が、装置の外周上の円周領域に配置され、それによってハウジングの直ぐ後ろに（好ましくはプリーツ付きフィルタとして設計される）大面積の空気取入れフィルタ７を配置でき、装置は、円周方向の幅領域に亘って吸入空気を吸い込み、ハウジング内でファンホイール６に向けて先細りになる空気流を生成する。
【００７０】
空気取入れ領域３が、ハウジング２の周りに例えば２７０°の円周角に亘って延びる一方、空気吹出し領域４の角度は、 例えば９０°だけである。
【００７１】
図５は、構成の更なる詳細を示しており、ハウジング２の外周上の空気取入れ領域３と空気吹出し領域４との両方が、上述した半径方向の環状溝４０の領域に位置することが重要である。
【００７２】
２つの領域３，４がハウジング２の同じ水平面３９に位置するので、ハウジング２の幅４７は、特に小さく、回転対称ハウジング２の小さなディスク厚さに相当する。
【００７３】
図６は、ハウジング２の原理的構造を示しており、本質的に同じ設計の２つの半体シェル２０は、ファンホイール６が収容される中央の内部に、それら半体シェル２０の間で空気案内ハウジング３８を収容し、ファンホイール６は、ファン回転軸線５の周りに回転駆動されることが分かる。
【００７４】
図６はまた、Ｃ字形状の空気取入れフィルタ７を示しており、空気取入れフィルタ７は、その内部にＣ字形状の清浄空気領域５１を形成し、空気ダクトハウジング３８の空気供給領域５１の方向に半径方向内向きの清浄空気流を形成する。こうして、Ｃ字形状は、ファンホイール６に対して半径方向内向きに圧縮された特に大きな清浄空気流５３を空気取入れフィルタ７の半径方向内側に形成する。
【００７５】
空気取入れフィルタ７の同一面３９には、空気案内ハウジング３８の空気吹出し領域４も配置されるので、これらの部分は同一面３９に配置される。
【００７６】
図７〜図１０は、空気案内要素を含むケース２の構造の更なる詳細を示す。
【００７７】
図１１によるファン回転軸線５に対して平行な方向８から見ると、ハウジング２は、円形の外郭を有する。図１２による直交方向から空気浄化装置１の側面図を見ると、この例では、ハウジング２がディスク形状の外郭を有することが分かる。空気取入れ領域３及び／又は空気吹出し領域４は、ハウジング２の半径方向外縁部１７に配置される。それら空気取入れ領域３及び／又は空気吹出し領域４は、一緒に、ハウジング２の周りにハウジングの内外に空気を出し入れする空気取込口及び空気吹出口のための開口部を含む周囲領域を形成する。これは、ブレード１８及び１９によって示される設計例に見ることができ、ブレード１８及び１９は、図１２の切断線Ａ−Ａに沿った切断された状態を示す図１３において特に確認されるように、空気取入れ領域３に及び空気吹出し領域４に配置される。
【００７８】
それら図１２，図１３では、空気取入れ領域３及び空気吹出し領域４が、ファン回転軸線５から見て、ハウジング２の半径方向外縁部１７の異なる領域に配置されることも明確に分かる。図１２は、縁部１７におけるハウジング２の半体シェル２０の間に、ブレード１８，１９、従って空気取入れ領域３及び空気吹出し領域４があることを明確に示す。
【００７９】
図１２は、２つの平行な境界面１３も示す。この設計例の空気取入れ領域３及び空気吹出し領域４は、これらの平行な境界面１３によって制限される。以下で述べる空気吹出し空間１１（ファンホイール６が作動中にその途中でハウジングの空気吹出し領域４に空気を吹き出す）がまた、これらの２つの平行な境界面１３の間に位置する。２つの仮想境界面１３は、方向８に対して垂直又は直交して配置され、こうしてファン回転軸線５の縦方向に対しても垂直又は直交して配置される。
【００８０】
図１２の切断線Ａ−Ａに沿った切断では、図１３に示されるように、ファンホイール６が、本発明に従って空気取入れフィルタ７によって少なくとも部分的に囲まれた内部空間１０内に配置されることが分かる。ここでは、図１３に示される平面図において、ファン回転軸線５に対して平行な方向８から、空気取入れフィルタ７は、ファンホイール６が配置される内部空間１０を不完全に取り囲んでいるだけである。
【００８１】
空気取入れフィルタ７のない残りのセクションでは、ファンホイール６が作動中にその途中でハウジング２の空気吹出し領域４に空気を吹き込む吹出空間１１が設けられる。第１の実施例では、図１３に特によく確認されるように、空気吹出しフィルタ１２が吹出し空間１１に配置される。この設計例の空気取入れフィルタ７は、Ｃ字形状である。障壁１４が、空気取入れフィルタ７とファンホイール６との間に配置される。この障壁１４は、図１５及び図１６を使用して以下で詳細に示されるように、空気取入れフィルタ７を介して吸い込まれた空気をその途中でファンホイール６に偏向する。
【００８２】
図１３は、ファン回転軸線５に対して半径方向の方向９を示す。これらの方向９において、ファンホイール６のそのファン回転軸線５の周りの回転によって、空気取入れ領域３で浄化される空気が吸い込まれる。吸い込まれた空気は、ハウジング２の空気取入れ領域３におけるブレード１８同士の間の空間を突き抜け、次に半径方向９に沿って空気取入れフィルタ７に流入する。次に、障壁１４は、こうして吸い込んだ空気を空気取入れフィルタ７からその途中でファンホイール６に偏向する。空気は次に、ファン回転軸線５に対して平行な方向８にファンホイール６内に吸い込まれ、ファンホイール６から障壁の開口部１５を通って吹出しチャンバ１１内に方向９の半径方向外向きに吹き出される。この設計では、空気は、空気吹出しフィルタ１２を通り、空気吹出し領域４のフィン１９を通って空気吹出し空間１１から出る。
【００８３】
図１３は、この設計例において、ブレード１８とブレード１９との両方が、半径方向９に対してある角度で配置されることも明確に示す。
【００８４】
障壁１４は、ファンホイール６が位置する取付け空間１６を部分的に取り囲む。図１３は、ファンホイール６がこの受容空間１６内に偏心して配置されることを明確に示す。こうして、ファンホイール６は、片側に、すなわち図１３（左下）に、反対側（図１３（左上））よりも障壁１４の近くに位置する。
【００８５】
上述した空気流を生成するために、ファンホイール６は、そのファン回転軸線５の周りに回転する。このために、ファンホイール６は、図１５及び図１６に示されるファンモータ２３によって回転される。作動中のファンホイール６の回転方向２９を、図１３に示す。
【００８６】
図示の例では、ファンホイール６又はファンは、いわゆる後方湾曲のラジアルファンである。これは、空気翼２１の形状からも分かる。これら空気翼２１は、ファンホイール６のベース２２上に配置され、ファン回転軸線５に対して平行な方向８に延びる。図示しない変形例では、ファンは、前方湾曲のラジアルファンとして設計することもできる。
【００８７】
空気取入れフィルタ７として、多様なフィルタを使用することができる。例えば、紙フィルタ、特に折り畳まれた紙フィルタを使用して、空気中の埃又は粒子を濾過することができる。もっとも、それらフィルタは、対応する空気清浄効果を有する他の多孔質材料であってもよい。いずれの空気吹出しフィルタ１２にも同じことが当てはまる。両方のフィルタタイプは、活性炭又は同様のもの等を有して、細菌等を除去することもできる。
【００８８】
図１４は、図１２の断面Ｂ−Ｂにおける断面を示す。この断面Ｂ−Ｂは、障壁１４もファンホイール６の空気翼２１も配置されない領域、つまり、空気取入れフィルタ７を介して吸い込まれた空気が障壁１４を通過することができる領域において、断面Ａ−Ａに対して平行に延びる。この設計例で提示される空気吹出しフィルタ１２は、もはやこの断面Ｂ−Ｂには存在しない。
【００８９】
図１５は、この第１の設計例の空気浄化装置１を図１３に示される断面ＣＣで切断した断面図を示す。この断面ＣＣは、ファン回転軸線５と平行に延び、空気取入れフィルタ７を２回切断する。
【００９０】
図１６は、この空気浄化装置１を図１３にさらに示される断面ＤＤで切断した断面図を示す。この切断面ＤＤも、ファン回転軸線５と平行に延びる。しかしながら、切断面ＤＤは、切断面ＣＣに直交して配置されており、一方では空気取入れフィルタ７を含む空気取入れ領域３を切断し、他方ではこの設計例ではここに配置された空気吹出し領域４及び空気吹出しフィルタ１２を切断する。
【００９１】
図１５及び図１６は、ハウジング２内の空気流を特に明確に示す。空気流２４は、図１５及び図１６に矢印の形で図式化される。図１５及び図１６において、空気流２４を明確に表す矢印は、空気が、ファン回転軸線５に向けて半径方向９に空気取入れ領域３の外側から空気取入れフィルタ７に吸い込まれることを示す。
【００９２】
障壁１４によって、吸い込まれた空気の空気流２４は、次に、ファン回転軸線５に対して平行な方向８の運動成分によってハウジング２の内側に偏向される。吸い込まれた空気が障壁１４を通過すると直ぐに、その空気は、ファン回転軸線５に対して平行な方向８にファンホイール６内に吸い込まれる。ファンモータ２３によって回転方向２９に回転するファンホイール６は、次に、その空気翼２１で空気を障壁１４の開口部１５を通って方向９の半径方向外向きに吹出チャンバ１１内に押し込む。これは、図１６の下に示されるように、この例では空気吹出しフィルタ１２に位置する。ファンホイール６からの空気は、このフィルタを通って半径方向９の外向きに吹き出され、すなわちファン回転軸線５から離れる方向に吹き出され、それによってその空気は、空気吹出し領域４を介してハウジング２から出て行く。
【００９３】
要するに、浄化される空気は、半径方向９にハウジング２内に吸い込まれ、次に障壁１４の周りでファン回転軸線５に対して平行な方向８に向けられ、ファンホイール６内に吸い込まれ、それからファン回転軸線５から吹出し空間１１及び空気吹出し領域４を介して半径方向９の外向きの清浄空気としてハウジング２の外部に吹き出される。
【００９４】
図１７及び図１８は、空気吹出しフィルタ１２が省略された本発明の第２の実施例を示す。他の点で、この第２の設計例は第１の設計例に対応するので、上記の説明を参照することができる。
【００９５】
図１８は、図１３に類似した切断面を示す。図１７の切断面は、第１の実施例の図１６の切断面に対応する。図１７及び図１８によるこの第２の設計例では、空気は、空気取入れフィルタ７内で専ら浄化される。この設計例の空気吹出し空間１１は空であるので、空気吹出し領域４を通ってハウジング２から吹き出される空気は、空気吹出しフィルタ１２によって空気吹出し領域１１においてさらに浄化されない。この吹き出し空気フィルタ１２の領域には、追加の香り付与装置を配置することができる。
【００９６】
図７は、空気浄化装置１の他の構成要素を含まない第１の２つの設計例のファン回転軸線５を含むファンホイール６と、空気取入れフィルタ７とを示す。ここで、図７では、ファンホイール６が空気取入れフィルタ７によって部分的に取り囲まれた内部１０にどのように配置されるかを特に容易に理解できる。
【００９７】
図８〜図１０は、空気浄化装置１が作動中にどのようにセットアップ又は保持され得るかの様々な変形例を示す。図８において、スタンド２６が、ハウジング２の半体シェル２０の一方の側に取り付けられる。ファンモータ２３のための電源接続も、このスタンド２６に一体化することができる。
【００９８】
図９は、空気浄化装置１のハウジング２が対応するスタンド２６内に配置された変形例を示す。別個の電源ケーブル２７がハウジング２内に差し込まれ、電力をファンモータ２３に供給する。図１０において、アダプタアーム２８’が、半体シェル２０の一方の側に取り付けられる。このアダプタアーム２８’は、任意数のブラケットを含む多種多様な支持体に取り付けることができる。全ての設計例において、脚部２６又はアダプタアーム２８’とハウジング２との間の着脱可能な接続部を有することが有利である。
【００９９】
図８及び図９において、空気吹出し領域４に吹き出された浄化された空気を特定の領域により効果的に集中させるために、追加の成形要素２５が各空気吹出し領域４に着脱可能に取り付けられる。この成形要素２５は、空気浄化装置１が浄化された空気を人の呼吸領域に導く呼吸用空気浄化機として使用される場合に特に有用である。
【０１００】
この成形要素２５は、ハウジング２の外周に適合した湾曲した空気吹出口３０として設計される。吹出端部が、吹き出される層流３２をユーザ４９の呼吸領域に導く複数の湾曲ブレードによって形成される（図３参照）。吹出し空気流３２は、乱流が少ないので、ユーザ４９によって知覚されないか、又は殆ど知覚されない。従って、１つ又は複数の有色ＬＥＤが、空気吹出し領域４及び／又は吹出しノズル３０にさらに配置され、空気流の強さ及び／又はその組成（香り付け、イオン化）を視覚的に示す。
【０１０１】
図１９は、プリーツ付きフィルタから構成される空気取入れフィルタ７の好ましい設計を示しており、複数のフィルタ・プリーツ４３が板状のＣ字形状リング・キャリア４２上でシールされ、上側のフィルタ・プリーツが全てのフィルタ・プリーツを内側で接続する保持リング４５によって固定される。
【０１０２】
特に有利な点は、空気取入れフィルタ７がプリーツ付きフィルタとして設計され、フィルタ・プリーツ４３が円錐状に円錐角４４で外向きに開いていることである。
【０１０３】
これは、矢印方向９に流れる空気に対して特に大きなフィルタ領域を提供し、異物が円錐角４４により自動的に落下し、空気取入れフィルタ７を塞がない。
【０１０４】
Ｃ字形状の空気取入れフィルタ７の代わりに、他の空気取入れフィルタ、特にそれらの湾曲した長さに亘って中断される空気取入れフィルタを使用することもできる。それらの中断される空気取入れフィルタは、連続的なＣ字形状本体を形成するのではなく、分割した個々の湾曲した要素から構成されており、これらが一緒になってＣ字形状の空気取入れフィルタ７を形成する。
【０１０５】
図２０〜図２２は、ハウジング２のハウジング形状とは異なる模式的なハウジング形状２ａ，２ｂ，２ｃを示す。
【０１０６】
図２０は、回転対称のハウジング２を、適切なスタンド、ブラケット等に取り付けられた、図１〜図３による楕円形のハウジング２ａとして設計することができ、それにより、ハウジング２は、水平方向の回転軸線５０の周りを矢印方向４８に回転することができることを示す。
【０１０７】
このことから外れて、図２１は、ケース２ｂを正方形とし得ることを示し、図２２は、ケース２ｃを多角形の断面を有し得ることを示す。
【０１０８】
全ての設計は、ハウジング２，２ａ〜２ｃが略ディスク形状である、すなわち構造幅４７が装置の直径に対して１：２〜１：１０の範囲の比を有するという共通点を有する。
【０１０９】
同様に、図３は、図２０〜図２２との関連を示しており、このようなハウジング２，２ａ〜２ｃ字形状は、テーブル３６の設置面３５上に適切なスタンド２６を用いて設置することができる。そのハウジングは、回転軸線５０の周りを回転することができるように壁ブラケットを用いて建物の壁に取り付けこともでき、又は適切なブラケットを用いて自動車内に取り付けることもできる。
【０１１０】
本発明の以下の説明は、図２３〜図４０に示される大型電気器具としての空気浄化機１ａを参照しており、この大型電気器具は、卓上電気器具としての空気浄化機について上述したのと同じ特性及び利点を有する。
１．  １つ又は複数の周囲フィルタ７ａ，７ｂ，７ｃ内で（場合によっては同じ円周レベルに配置された空気取込口３及び空気吹出口４を含む）、ファン６，２３の全体的又は部分的な配置の基本原理は、テーブルのための個人化された空気浄化装置のための利点及び新規性だけでなく、床に立つことができ、直径で１００ｃｍまで達することができ、空気吹出口３０なしで行うことができる室内空気浄化機のための利点及び新規性もある。
２．  室内空気浄化機１ａの場合に、循環フィルタ７ａ−ｃ内に同じレベル（level）でファン６，２３を配置することにより、特に平らな円板となり、これは多くの居間や作業室で有利である。こうして、平らな室内空気清浄ユニット１ａは、壁に配置されるか又は壁に掛けられるのに特に適している。こうして、平らな構造の深さは、代替的な概念よりも少ない活動生活又は作業空間で済む。
３．  室内空気浄化機１ａの場合に、周方向空気取込口３及び空気吹出口４は、空気取込口又は空気吹出口による光学的又は機能的な損傷のない状態で前部半体シェル２０及び後部半体シェル２０を維持することができ、床スタンド又は壁懸垂体に取り付けること等の機能のために使用することができる。さらに、空気取込口及び空気吹出口のない目に見える表面は、特に魅力的であり、直ぐに汚れることがなく、設計手段（写真の印刷等）のためにも使用することができる。
４．  図１９によるフィルタの特別な設計は、卓上ユニット及と、壁又は床ユニットとの両方に適用される。ファン回転軸線に対して平行で、ファンと完全に又は部分的に重なり合うプリーツを含むプリーツ付きフィルタとしてのこのフィルタの特別な設計は、最小の空間要件で最大のフィルタ表面を達成するという利点を有する。
【０１１１】
図２３〜図２４は、大型装置の形態であるが、上述した全ての特徴を有する本発明の空気浄化装置を示しているので、このような空気浄化装置は、もはや１人に割り当てられずに、室内空気浄化機として機能する。
【０１１２】
しかしながら、これは、このような室内空気浄化装置１ａを個人化された空気浄化装置として使用することを排除するものではない。このため、上述した空気浄化装置１の特性が図２３〜図４０に示される室内空気浄化装置に同様に当てはまる。
【０１１３】
空気浄化装置１と図２３〜図４０による室内空気浄化機１ａとの違いは、ハウジング２が閉じたハウジングを形成するために互いに補完する２つの半体シェル２０から構成されていることであり、それにより、ハウジング２，２ａ，２ｂ，２ｃはもはや３６０°に亘って回転することができず、例えば２７０°の回転範囲５６に亘ってのみ回転可能である。
【０１１４】
これは、電源（図１の接続ソケット２８）が回転軸線の領域にはもはや設けられていないが、コネクタプラグ５８を含む電源ケーブル５７が１つの半体シェル２０の回転軸線５０の外側にある給電ケーブル５９に挿入されているためである。これを図２４及び図２６に示される。
【０１１５】
ハウジング２，２ａ，２ｂ，２ｃの６０ｃｍの好ましいハウジング直径を有する室内空気浄化機１ａの設計のために、空気取入れフィルタ７を例えば、好ましくは３つの空気取入れフィルタ要素に細分する必要があり、これらは一体形のＣ字形状状の空気取入れフィルタ７となる。
【０１１６】
これは、図２４〜図２６に示される。こうして、空気取入れフィルタ７は、個々の円形のリング形状の空気取入れフィルタ要素７ａ，７ｂ，７ｃから構成され、これらフィルタ要素は一緒に接合されてＣ字形状の空気取入れフィルタを形成する。
【０１１７】
従って、それらフィルタ要素はまた、例えば、ハウジング上に２７０°の角度範囲だけで延び、その間に（残りの角度範囲に）空気吹出し領域４を形成する。
【０１１８】
図２３〜図２６の後に示される例では、空気浄化機１ａは、例えば床に設置されたスタンド２６に回転可能に取り付けられる。
【０１１９】
有利な操作を達成するために、更なる特徴の後に、操作要素５４及び表示要素５５が半体シェル２０の縁部領域６２に配置され、それら操作要素５４及び表示要素５５は、設計上邪魔にならず、十分に操作可能であり、小さい操作面しか必要としない。
【０１２０】
こうして、ドラム形状又はディスク形状のハウジング２，２ａ，２ｂ，２ｃの周囲面は、空気吹出し領域４及び空気取入れフィルタ７ａ，７ｂ，７ｃのフィルタ面のために完全に使用される。
【０１２１】
図２７〜図３０は、図２３〜図２６に従った前述した実行による有利な実行を示し、フィルタ交換が示される。
【０１２２】
フィルタ、例えば空気取入れフィルタ要素７ｂを交換するために、図２７に示されるようにフィルタ要素７ｂが頂部に達するまで、ハウジングをその回転軸線５０の周りに回転させ、図２８〜図３０に示されるようにハウジングから容易に取り外すことができる。
【０１２３】
他の空気取入れフィルタ要素７ａ，７ｃを交換するために、交換するそれぞれの空気取入れフィルタ要素７ａ，７ｂ，７ｃが空気取入れフィルタ要素７ｂに取って代わるようにハウジング２ａ，２ｂ，２ｃをさらに回転させる。
【０１２４】
これにより、様々な空気取入れフィルタ要素７ａ〜７ｃの特に容易な操作と良好なアクセス可能性が得られる。
【０１２５】
このようなユニットが床ユニットとして構成される代わりに、このような室内空気浄化機１ａは、テーブル３６の設置面３５にスタンド２６を用いて設置されたテーブルユニットとして設けることもできる。
【０１２６】
他の場合には、図２３〜図３０に示される室内空気浄化装置１ａのフィルタ交換及び構成についても同様の説明が適用される。
【０１２７】
図３１Ａ〜図３４Ａは、図３１〜図３４と同じユニットを示しており、空気取入れフィルタ要素７ａ〜７ｃは、動作可能な状態でハウジング２内に挿入され、ユニットは、図３４Ａによる動作位置にあり、空気吹出範囲４が上向きにされている。
【０１２８】
ユニットは、その回転軸線５０の周りを自由に、例えば２７０°の回転角で回転することができ、これにより空気吹出し領域４をこれらの幅制限内で回転させることができる。
【０１２９】
図２３〜図３４Ａの図から、空気浄化装置１及び／又は室内空気浄化機１ａを寝かせた状態で運転することができるので、極端な運転条件であっても、電気機器の機能を損なわないことが分かる。この場合に、半体シェル２０を有するユニット１，１ａは、床又はテーブル表面上に横たわっており、空気吹出し領域４は水平方向に向けられる。
【０１３０】
このような動作モードも可能である。このような動作モードは、説明の冒頭で最新技術として認識される装置では不可能である。従って、図３５〜図３８は、そのような室内空気浄化機１ａを、垂直方向の取付け面６０、例えば壁面に取り付けることができることを示す。図３５〜図３８は、上記と同様に空気取入れフィルタ素子７ａ，７ｂ，７ｃのフィルタを交換する可能性を示している。
【０１３１】
従って、垂直方向の取付け面６０に代えて、水平方向の取付け面６０を使用することもでき、それによって室内空気浄化機１ａは水平方向で作動する。
【０１３２】
空気浄化装置１と室内空気浄化機１ａとの両方の窓形状の特別な利点は、半体シェル２０の前面が完全に固定されていないことであり、従って、半体シェル２０の前面を、例えばインプリント又はステッカー又は他のデザイン要素を付ける広告面として使用することができる。
【０１３３】
図３５Ａから図３８Ａまでは、空気取入れフィルタ要素７ａ，７ｂ，７ｃがハウジング内の取付け位置に設置される場合の、図３５〜図３８に示されるユニットの動作状態を示す。図３９及び図４０は、棚や天井等であってもよい偏向面６１の下方の設置位置にあるこのような室内空気浄化機１ａを示している。これにより、このような室内用空気浄化機１ａを天井下の高所に設置することが可能であるが、それにもかかわらず空気取入れフィルタ要素７ａ〜７ｃへのアクセスが良好であることは明らかである。これは、各場合に交換され得る空気取入れフィルタ要素７ａ〜７ｃがユーザの手の届く範囲に入るように、必要な場合は、いつも機器を回転することができるためである。
【符号の説明】
【０１３４】
１                    空気浄化装置
１ａ                  室内空気浄化機
２，２ａ，２ｂ，２ｃ  ハウジング
３                    空気取入れ領域
４                    空気吹出し領域
５                    ファン回転軸線
６                    ファンホイール
７，７ａ，７ｂ，７ｃ  空気取入れフィルタ
８                    方向
９                    方向
１０                  内部
１１                  空気吹出し空間
１２                  空気吹出しフィルタ
１３                  制限レベル
１４                  障壁
１５                  開口部
１６                  受容空間
１７                  外縁部
１８                  ブレード
１９                  ブレード
２０                  半体シェル
２１                  空気翼
２２                  ベース領域
２３                  ファンモータ
２４                  空気流
２５                  成形要素
２６                  スタンド
２７                  電源ケーブル
２８’                アダプタアーム
２８                  接続ソケット
２９                  回転方向
３０                  吹出しノズル
３１                  空気吹出しグリル
３２                  吹き出される空気流
３３                  頭部領域
３４                  プラグ開口部
３５                  設置領域
３６                  テーブル
３７                  矢印の方向
３８                  空気案内ハウジング
３９                  レベル
４０                  環状溝
４１                  内部
４２                  リング・キャリア
４３                  フィルタ・プリーツ
４４                  円錐角
４５                  保持リング
４７                  構造幅
４８                  矢印の方向
４９                  ユーザ
５０                  中心軸線（回転軸線）
５１                  清浄空気領域
５２                  空気供給領域
５３                  清浄空気流
５４                  操作要素
５５                  表示要素
５６                  回転範囲
５７                  電源ケーブル
５８                  コネクタプラグ
５９                  ケーブル入力
６０                  取付け面
６１                  偏向面
【図１】
2019051316.tif 000003
【図２】
2019051316.tif 000004
【図３】
2019051316.tif 000005
【図４】
2019051316.tif 000006
【図５】
2019051316.tif 000007
【図６】
2019051316.tif 000008
【図７】
2019051316.tif 000009
【図８】
2019051316.tif 000010
【図９】
2019051316.tif 000011
【図１０】
2019051316.tif 000012
【図１１】
2019051316.tif 000013
【図１２】
2019051316.tif 000014
【図１３】
2019051316.tif 000015
【図１４】
2019051316.tif 000016
【図１５】
2019051316.tif 000017
【図１６】
2019051316.tif 000018
【図１７】
2019051316.tif 000019
【図１８】
2019051316.tif 000020
【図１９】
2019051316.tif 000021
【図２０】
2019051316.tif 000022
【図２１】
2019051316.tif 000023
【図２２】
2019051316.tif 000024
【図２３】
2019051316.tif 000025
【図２４】
2019051316.tif 000026
【図２５】
2019051316.tif 000027
【図２６】
2019051316.tif 000028
【図２７】
2019051316.tif 000029
【図２８】
2019051316.tif 000030
【図２９】
2019051316.tif 000031
【図３０】
2019051316.tif 000032
【図３１】
2019051316.tif 000033
【図３２】
2019051316.tif 000034
【図３３】
2019051316.tif 000035
【図３４】
2019051316.tif 000036
【図３１Ａ】
2019051316.tif 000037
【図３２Ａ】
2019051316.tif 000038
【図３４Ａ】
2019051316.tif 000039
【図３３Ａ】
2019051316.tif 000040
【図３５】
2019051316.tif 000041
【図３６】
2019051316.tif 000042
【図３７】
2019051316.tif 000043
【図３８】
2019051316.tif 000044
【図３５Ａ】
2019051316.tif 000045
【図３６Ａ】
2019051316.tif 000046
【図３７Ａ】
2019051316.tif 000047
【図３８Ａ】
2019051316.tif 000048
【図３９】
2019051316.tif 000049
【図４０】
2019051316.tif 000050
【外国語明細書】
2019051316000001.pdf